(57)【要約】【課題】電気掃除機本体を小型化、軽量化して、使い勝手のよい電気掃除機を提供する。【解決手段】本体の外郭を形成する下ケース及び上ケースと、電動送風機及び制御基板が収容される電動送風機ケースと、集塵部と、電源コード巻き取り部とを備え、下ケースは、両側に底部から上方に延設される側壁、前後方向の略中央部に、下ケース前部と下ケース後部とを仕切る仕切り壁、後端に下ケースの底部から上方に延設される後壁が形成され、下ケース後部に、左右方向の一方に電動送風機ケースが配置され、他方に回転軸が水平となるようにコード巻き取り部が配置され、仕切り壁は、集塵部と電動送風機ケースとを連通する連通部が形成され、コード巻き取り部の前端と対向する部分が集塵部の方向に窪む凹部が形成され、凹部の下方を含む下ケースに下ケース穴部が形成され、下ケース穴部を塞ぐ底カバーを設けた。【選択図】図９
2014188007.tif 000002
【特許請求の範囲】
【請求項１】
掃除機本体の外郭を形成する下ケース及び上ケースと、
吸引風を発生する電動送風機と、
前記電動送風機を制御する制御基板と
前記電動送風機及び前記制御基板が収容されるとともに前記電動送風機の吸込口と連通する開口部を有する電動送風機ケースと、
前記電動送風機により発生する吸引風とともに吸い込んだ塵埃を捕集する集塵部と、
前記電動送風機に電源を供給する電源コードを巻き取るコード巻き取り部と、
前記下ケースの後方の両側部に取り付けられる一対の後車輪と、
を備え、
前記下ケースは、両側に底部から上方に延設され前記上ケースの下端と接続される側壁、前後方向の略中央部に、前記集塵部が配置される下ケース前部と前記電動送風機ケース及び前記コード巻き取り部が配置される下ケース後部とを仕切る仕切り壁、後端に前記下ケースの底部から上方に延設される後壁が形成され、
前記下ケース後部に、左右方向の一方に前記電動送風機ケースが配置され、左右方向の他方に回転軸が水平となるように前記コード巻き取り部が配置され、
前記仕切り壁は、前記集塵部の排気口と該排気口と対向して配置される前記電動送風機ケースの開口部とを連通する連通部が形成され、前記コード巻き取り部の前端と対向する部分が前記集塵部の方向に窪む凹部が形成され、
前記凹部の下方を含む前記下ケースに下ケース穴部が形成され、
前記下ケース穴部を塞ぐ底カバーを設けた電気掃除機。
【請求項２】
前記下ケース穴部は前記下ケースの底部とこの底部に連なる側面に亘り形成され、
前記底カバーは、底部と両側部とを有し、左右方向の断面が略カップ形状で、前記両側部の外側の前辺が前記下ケースの外側の側面と、外側の下面が前記下ケースの外側の下面と、前記両側部の外側の後辺と前記後車輪の外側面とがそれぞれ滑らかに連なるように、前記下ケースに固定されることを特徴とする請求項１記載の電気掃除機。
【請求項３】
前記底カバーの両側部の上部に前記下ケースの両側面に形成された第１の下ケース側面被係止部と係止して前記底カバーの左右方向の開きを抑制する第１の底カバー係止部を設けたことを特徴とする請求項１または請求項２記載の電気掃除機。
【請求項４】
前記底カバーと前記下ケースの底部と前記電動送風機ケースとを前記底カバーの下面から底カバー固定ネジで共締めして固定することを特徴とする請求項１乃至請求項３のいずれか１項に記載の電気掃除機。
【請求項５】
前記底カバーの両側部の後部に前記下ケースと上方から係止する第２の底カバー係止部を設け、前記第２の底カバー係止部と係止される第２の下ケース被係止部を前記下ケースの前記後車輪の裏面と対向する位置に設けたことを特徴とする請求項１乃至請求項４のいずれか１項に記載の電気掃除機。
【請求項６】
前記底カバーの底部の上面に上方に立設する第１の底カバーリブ及び第２の底カバーリブを設け、前記下ケースの下面に、前記底カバーの前後方向のズレを規制するように、前記第１の底カバーリブ及び第２の底カバーリブの側面とそれぞれ当接する第１の下ケース底面被係止部及び第２の下ケース底面被係止部を設けたことを特徴とする請求項１乃至請求項５のいずれか１項に記載の電気掃除機。
【請求項７】
前記下ケースの底部の上面に、前後方向に延びるように立設されて前記電動送風機ケースを載置する第１の下ケース底部リブを設け、前記第４の下ケースリブの後方に上方に向かって延設する段差部とこの段差部の上端に連なって上方後方に傾斜する傾斜部を形成し、前記電動送風機ケースの後端の下部の角部が前記段差部と当接することを特徴とする請求項１乃至請求項６のいずれか１項に記載の電気掃除機。
【請求項８】
前記コード巻き取り部は、両側に前記電源コードの巻き取りをガイドする側円板が設けられ、前記下ケースの底部の上面で前記側円板の近傍に、少なくとも一方の前記側円板に沿って近接した第２の下ケース底部リブが形成されると共に、前記底カバーの底部の上面に、前記第２の下ケースリブと連なるように前記側円板に沿って近接した第３の底カバーリブを設けたことを特徴とする請求項１乃至請求項７のいずれか１項に記載の電気掃除機。
【請求項９】
前記コード巻き取り部の外周部にコード巻き取り部係止部を設け、前記仕切り壁側に前記コード巻き取り部係止部と係止して前記電源コードの引き出し操作に伴う前記コード巻き取り部の回転を規制するコード巻き取り部被係止部を設けたことを特徴とする請求項１乃至請求項８のいずれか１項に記載の電気掃除機。
【発明の詳細な説明】
【技術分野】
【０００１】
この発明は、電気掃除機の本体に係り、特に、小型化、軽量化するための本体の構造に関するものである。
【背景技術】
【０００２】
近年、電気掃除機の小形化、軽量化が求められており、電気掃除機本体も小形・軽量化が要求されている。掃除機本体には、吸引風を発生する電動送風機と、吸引風とともに吸込まれた塵埃を集塵する集塵室と、電動送風機を制御する制御基板と、電源コードのコード巻き取り部等の収容部品が内蔵される。電気掃除機本体は、通常、外郭の上部をなす上ケースと下部をなす下ケースとから構成され、上記の収容部品は下ケースに収容される。従来の電気掃除機は、下ケースを一体成形する金型の使用、下ケースの強度の確保のため、下ケースの大きさ、収容部品の配置の仕方が制約を受け、その結果、電気掃除機本体を小形・軽量化するのが困難であった（例えば、特許文献１参照）。
【先行技術文献】
【特許文献】
【０００３】
【特許文献１】特開２００５−２６１６５８号公報
【特許文献２】特許第４２９９７９９号公報
【特許文献３】特許第４６０２８７３号公報
【発明の概要】
【発明が解決しようとする課題】
【０００４】
従来、電気掃除機本体の下ケースを一体で成形したものにおいて、集塵室が配置される下ケース前部と、電動送風機、制御基板及び電源コード巻き取り部等の収容部品が配置される下ケース後部とを仕切る仕切り壁が形成される。仕切り壁には、集塵室と電動送風機とを連通する連通部が形成される。電気掃除機本体を小形化するには下ケースも小形化する必要があり、これらの収容部品を下ケース後部にコンパクトに収容する必要がある。
【０００５】
ここで、電気掃除機本体の上下方向の高さを低減するためには、電動送風機並びに制御基板とコード巻き取り部とを上下に重ねるよりは、左右方向に並べて配置する構成が望ましい。さらに、左右方向の幅を小さくするためには、コード巻き取り部を立てて配置する構成が望ましい。さらに、前後方向にも小形化するためには、上記の収容部品を集塵部の方向に詰めて配置する必要がある。
【０００６】
コード巻き取り部には所定の太さで所定の長さを有する電源コードを巻きつけるため、巻きつける部分に電源コードを収容するための所定の容積が必要となる。ここで、コード巻き取り部の幅寸法を大きくとると、巻き取りに伴う半径方向の電源コードの嵩みは低減されるが、コード巻き取り時にコードを幅方向に亘って均一に巻き取るよう電源コードをガイドする機構が必要となり、構造が複雑となる。また、下ケースの幅方向の寸法が大きくなるので、掃除機本体の小形化が困難となる。
【０００７】
したがって、コード巻き取り部の幅方向はコードが数本程度の幅とする構成が望ましい。しかし、巻き取られる電源コードは半径方向に嵩み、コード巻き取り部の半径方向の寸法が大きくなる。その結果、コード巻き取り部の直径は電動送風機ユニットの前後方向の大きさよりも大きくなりやすい。
【０００８】
掃除機本体を前後方向にも小形化するためには、電動送風機並びに制御基板とコード巻き取り部等の収容部品を集塵部の方向に詰めて配置する必要がある。しかし、コード巻き取り部の直径が電動送風機ユニットの前後方向の大きさよりも大きくなり、コード巻き取り部の前端が仕切り壁の後面と干渉することになる。このように、収容部品を集塵部の方向に詰めて配置することに制約があるという課題があった。
【０００９】
ここで、下ケースは、収容部品を収容支持するのに必要な強度を確保するため箱形状とし、後端に後壁が形成される。下ケースを前後方向にも小形化するため、仕切り壁と後壁との距離を大きく設定できないために、仕切り壁を形成するために後方に引き抜くスライドコマの後部と下ケースの後壁が干渉する虞がある。このように、電気掃除機本体を小型化するのが困難という課題があった。
【００１０】
この発明は、かかる問題点を解決するためになされたもので、電気掃除機本体を小型化、軽量化して、使い勝手のよい電気掃除機を提供することを目的とする。
【課題を解決するための手段】
【００１１】
この発明にかかる電気掃除機においては、掃除機本体の外郭を形成する下ケース及び上ケースと、吸引風を発生する電動送風機と、電動送風機を制御する制御基板と電動送風機及び制御基板が収容されるとともに電動送風機の吸込口と連通する開口部を有する電動送風機ケースと、電動送風機により発生する吸引風とともに吸い込んだ塵埃を捕集する集塵部と、電動送風機に電源を供給する電源コードを巻き取るコード巻き取り部と、下ケースの後方の両側部に取り付けられる一対の後車輪と、を備え、下ケースは、両側に底部から上方に延設され上ケースの下端と接続される側壁、前後方向の略中央部に、集塵部が配置される下ケース前部と電動送風機ケース及びコード巻き取り部が配置される下ケース後部とを仕切る仕切り壁、後端に下ケースの底部から上方に延設される後壁が形成され、下ケース後部に、左右方向の一方に電動送風機ケースが配置され、左右方向の他方に回転軸が水平となるようにコード巻き取り部が配置され、仕切り壁は、集塵部の排気口と該排気口と対向して配置される電動送風機ケースの開口部とを連通する連通部が形成され、コード巻き取り部の前端と対向する部分が集塵部の方向に窪む凹部が形成され、凹部の下方を含む下ケースに下ケース穴部が形成され、下ケース穴部を塞ぐ底カバーを設けたものである。
【発明の効果】
【００１２】
電気掃除機本体外郭の下部をなす下ケースに収容される収容部品をコンパクトに配置できるので、電気掃除機本体を小形化でき、使い勝手のよい電気掃除機を得ることができる。
【図面の簡単な説明】
【００１３】
【図１】この発明の実施の形態１における電気掃除機の外観斜視図である。
【図２】この発明の実施の形態１における電気掃除機の掃除機本体の前上方から見た外観斜視図である。
【図３】この発明の実施の形態１における電気掃除機の掃除機本体の後下方から見た外観斜視図である。
【図４】この発明の実施の形態１における電気掃除機に係る掃除機本体の正面図である。
【図５】この発明の実施の形態１における電気掃除機に係る掃除機本体の上面図である。
【図６】この発明の実施の形態１における電気掃除機に係る掃除機本体の側面図である。
【図７】この発明の実施の形態１における電気掃除機に係る掃除機本体の底面図である。
【図８】この発明の実施の形態１における電気掃除機に係る掃除機本体の後面図である。
【図９】この発明の実施の形態１における電気掃除機に係る掃除機本体の上ケースを外した状態の後上方から見た斜視図である。
【図１０】この発明の実施の形態１における電気掃除機に係る掃除機本体の上ケースを外した状態の正面図である
【図１１】この発明の実施の形態１における電気掃除機に係る掃除機本体の上ケースを外した状態の上面図である。
【図１２】この発明の実施の形態１における電気掃除機に係る掃除機本体の上ケースを外した状態の側面図である。
【図１３】この発明の実施の形態１における電気掃除機に係る掃除機本体の上ケースを外した状態の後面図である。
【図１４】この発明の実施の形態１における電気掃除機に係る掃除機本体の上ケースの前上方から見た概観斜視図である。
【図１５】この発明の実施の形態１における電気掃除機に係る掃除機本体の上ケースの前下方から見た概観斜視図である。
【図１６】この発明の実施の形態１における電気掃除機に係る掃除機本体の上ケース、収容部品及び後車輪を外した状態の後上方から見た斜視図である。
【図１７】この発明の実施の形態１における電気掃除機に係る掃除機本体の上ケース、収容部品及び後車輪を外した状態の前上方から見た斜視図である。
【図１８】この発明の実施の形態１における電気掃除機に係る掃除機本体の上ケース、収容部品、底カバー及び後車輪を外した状態の前上方から見た斜視図である。
【図１９】この発明の実施の形態１における電気掃除機に係る掃除機本体の上ケース、収容部品、後車輪、前車輪並びに取り付けカバー、及び底カバー、を外した状態の後下方から見た斜視図である。
【図２０】この発明の実施の形態１における電気掃除機に係る掃除機本体の要部構成である底カバーの後上方から見た外観斜視図である。
【図２１】この発明の実施の形態１における電気掃除機に係る掃除機本体の要部構成である底カバーの前上方から見た外観斜視図である。
【図２２】この発明の実施の形態１における電気掃除機に係る掃除機本体の電動送風機を通る縦断面図である。
【図２３】この発明の実施の形態１における電気掃除機に係る掃除機本体のコード巻き取り部の側面板を通る縦断面図である。
【図２４】この発明の実施の形態１における電気掃除機に係る掃除機本体の仕切り板を通り前方より見た横断面図である。
【図２５】この発明の実施の形態１における電気掃除機に係る掃除機本体のコード巻き取り部の中心軸を通り後方より見た横断面図である。
【発明を実施するための形態】
【００１４】
図１はこの発明の実施の形態１に係る電気掃除機の外観斜視図である。図２は、この発明の実施の形態１における電気掃除機の掃除機本体の前上方から見た外観斜視図である。図３は、この発明の実施の形態１における電気掃除機の掃除機本体の後下方から見た外観斜視図である。図４は、この発明の実施の形態１における電気掃除機に係る掃除機本体の正面図である。図５は、この発明の実施の形態１における電気掃除機に係る掃除機本体の上面図である。図６は、この発明の実施の形態１における電気掃除機に係る掃除機本体の側面図である。図７は、この発明の実施の形態１における電気掃除機に係る掃除機本体の底面図である。図８は、この発明の実施の形態１における電気掃除機に係る掃除機本体の後面図である。図９は、この発明の実施の形態１における電気掃除機に係る掃除機本体の上ケースを外した状態の後上方から見た斜視図である。図１０は、この発明の実施の形態１における電気掃除機に係る掃除機本体の上ケースを外した状態の正面図である。図１１は、この発明の実施の形態１における電気掃除機に係る掃除機本体の上ケースを外した状態の上面図である。図１２は、この発明の実施の形態１における電気掃除機に係る掃除機本体の上ケースを外した状態の側面図である。図１３は、この発明の実施の形態１における電気掃除機に係る掃除機本体の上ケースを外した状態の後面図である。図１４は、この発明の実施の形態１における電気掃除機に係る掃除機本体の上ケースの前上方から見た概観斜視図である。図１５は、この発明の実施の形態１における電気掃除機に係る掃除機本体の上ケースの前下方から見た概観斜視図である。図１６は、この発明の実施の形態１における電気掃除機に係る掃除機本体の上ケース、収容部品及び後車輪を外した状態の後上方から見た斜視図である。図１７は、この発明の実施の形態１における電気掃除機に係る掃除機本体の上ケース、収容部品及び後車輪を外した状態の前上方から見た斜視図である。図１８は、この発明の実施の形態１における電気掃除機に係る掃除機本体の上ケース、収容部品、底カバー及び後車輪を外した状態の前上方から見た斜視図である。図１９は、この発明の実施の形態１における電気掃除機に係る掃除機本体の上ケース、収容部品、後車輪、前車輪並びに取り付けカバー、及び底カバー、を外した状態の後下方から見た斜視図である。図２０は、この発明の実施の形態１における電気掃除機に係る掃除機本体の要部構成である底カバーの後上方から見た外観斜視図である。図２１は、この発明の実施の形態１における電気掃除機に係る掃除機本体の要部構成である底カバーの前上方から見た外観斜視図である。図２２は、この発明の実施の形態１における電気掃除機に係る掃除機本体の電動送風機を通る縦断面図である。図２３は、この発明の実施の形態１における電気掃除機に係る掃除機本体のコード巻き取り部の側面板を通る縦断面図である。図２４は、この発明の実施の形態１における電気掃除機に係る掃除機本体の仕切り板を通り前方より見た横断面図である。図２５は、この発明の実施の形態１における電気掃除機に係る掃除機本体のコード巻き取り部の中心軸を通り後方より見た横断面図である。
以下、図を用いて説明する。
［電気掃除機の構成］
図１に示すように、電気掃除機１は、下面に吸込口（図示せず）が開口する吸込具２と、延長パイプ３と、手元ホース４と、ホース５と、電気掃除機本体１０とを備えている。
吸込具２は、床面上等の塵埃を空気とともに吸い込む。吸込具２は、床面やじゅうたん等の被掃除面の塵埃をかきあげる回転ブラシ（図示せず）と、この回転ブラシを駆動するブラシモータである電動機（図示せず）を内蔵している。回転ブラシには被掃除面に接触し塵埃をかきあげる植毛（図示せず）がある。回転ブラシは、ベルトなどを介して電動機により駆動される。
【００１５】
吸込具２の出口側にはまっすぐな円筒状の延長パイプ３の一端が接続されている。延長パイプ３の他端には、電気掃除機１の運転を制御する操作スイッチ４ａが設置された取手が設けられた手元ホース４の一端が接続されている。操作スイッチ４ａは、吸引風を発生させる電動送風機２１（後述する）のオン／オフ、吸引風の強弱、電動機のオン・オフを切り替えるスイッチである。手元ホース４の他端には、可撓性を有する蛇腹状のホース５の一端が接続されている。さらに、ホース５の他端には掃除機本体１０が接続されている。
【００１６】
（電気掃除機本体の外観）
掃除機本体１０の外郭は、上部分を構成する上ケース１１と、下部分を構成する下ケース１２とからなる。下ケース１２の前部には、吸込んだ塵埃を捕集する集塵部１３（図１７、図１８参照）が形成される。集塵部１３には、塵埃を捕集する紙パックフィルター（図示せず）が装着される。集塵部１３の上方には、集塵部１３の上面開口を開閉自在に覆う集塵部蓋１４が、その前端を上ケース１１に軸支されて設けられる。上ケース１１の前方には、掃除機本体１０を持ち運ぶときに把持する本体ハンドル１５が設けられる。
【００１７】
掃除機本体１０の前方には、ホース５が差し込まれる本体吸込口１６が形成される。掃除機本体１０の後方には、本体排気口１７が形成される。下ケース１２の後方の両側部には一対の後車輪１８ａが回動自在に軸支されて取り付けられる。下ケース１２の外側の下面には、車輪の回転軸が垂直軸の回りに回動自在の前車輪１８ｂが取り付けられる。前車輪１８ｂ及び後車輪１８ａにより、掃除機本体１０は自在に引き回されて移動可能となる。また、下ケース１２の下面には、後述する下ケース穴部１９を塞ぐ底カバー２０が取り付けられる。
【００１８】
掃除機本体１０の後方には、電動送風機２１に電力を供給する、先端にプラグ２２ａが接続された電源コード２２のコード引き出し口２３が上ケース１１に形成される。また、上ケース１１のコード引き出し口２３に隣接して、電源コード巻き取りボタン２４が設けられる。
以後、掃除機本体１に対し、本体吸込口１６側を前方、この反対側を後方、前方に向かって左側を左方向、前方に向かって右側を右方向とする。
【００１９】
（掃除機本体の内部構造）
図１７、図１８、図２２に示すように、下ケース１２は、前方に、本体吸込口１６の後端開口部１６ａが形成される前壁１２１が底部１２２から上方に延設されている。また、下ケース１２は、後方に、縦断面が略円弧形状をなすように、後壁１２３が底部１２２から上方へ延設されている。さらに、図１９、図２５に示すように、下ケース１２は、両側方に、側壁１２４が底部１２２から上方へ延設されている。このように、下ケース１２は上方が開口した箱形状をなしているので、下ケース１２の肉厚を薄くして、軽量化を図っても必要な強度を確保できる。
【００２０】
また、下ケース１２は、集塵部１３が配置される前部と、後述する電動送風機ケース２５及びコード巻き取り部２６が配置される後部とを仕切る仕切り壁１２５が形成される。仕切り壁１２５には、集塵部１３の排気口（後述する仕切り壁１２５に形成される連通部１２５ａの集塵部１３側の開口）とこの排気口と対向して配置される電動送風機ケース２５の開口部（図示せず）とを連通し、外縁が円形で格子状に開口する連通部１２５ａが形成される。連通部１２５ａの後面（電動送風機ケース２５側）には、後方（電動送風機ケース２５の方向）に延設された２重の環状リブ１２５ｃが形成される。環状リブ１２５ｃと電動送風機ケース２５の開口部とがシール部材１２５ｄを介して気密に接続される。このように、２重の環状リブ１２５ｃを電動送風機ケース２５の方向に延設するように構成したので、集塵部１３から電動送風機２１へ吸引される空気の漏れが抑制される。
【００２１】
また、仕切り壁１２５は、コード巻き取り部２６の前端と対向する部分が集塵部１３の方向に窪む凹部１２５ｂが形成される。凹部１２５ｂの下方を含む下ケース２の底部１２２に下ケース穴部１９が形成される。底カバー２０が下ケース穴部１９を塞ぐように取り付けられる。
【００２２】
図９、図２２に示すように、下ケース１２の後部の右側に電動送風機ケース２５、左側にコード巻き取り部２６がそれぞれ配置される。コード巻き取り部２６は、電源コード２２の巻き取り回転軸２６ａ（図２５参照）が水平となるように配置される。したがって、略扁平のコード巻き取り部２６は電動送風機ケース２５の左側に立てて配置される。
【００２３】
図２２に示すように、電動送風機ケース２５には、吸引風を発生する電動送風機２１と、電動送風機２１を制御する制御基板２７が収容される。
また、コード巻き取り部２６は、左右の側円板２６ｂ、２６ｃに挟まれた空間であるコード巻き付け部２６ｄに電源コード２２が巻き付けられて収容される（図２５参照）。
【００２４】
このように、下ケース１２の後部の右側に電動送風機ケース２５、左側にコード巻き取り部２６がそれぞれ配置され、コード巻き取り部２６は、電源コード２２の巻き取り回転軸２６ａ（図２５参照）が水平となるように配置したので、電動送風機ケース２５やコード巻き取り部２６等の収容部品の上下方向の高さを低減でき、収容部品が配置される掃除機本体１０後部の高さを抑制することができる。その結果、掃除機本体１０の後部の上下方向の寸法を小形化できる。なお、電動送風機ケース２５を下ケース１２の後部の右側に、コード巻き取り部２６を下ケース１２の後部の右側に配置したが、逆に配置しても同様の効果を奏する。
【００２５】
また、仕切り壁１２５には、コード巻き取り部２６の前端と対向する部分が集塵部１３の方向に窪む凹部１２５ｂを形成したので、電動送風機ケース２５の前後方向の大きさよりもコード巻き取り部２６の直径が大きくなっても、コード巻き取り部２６の前端が凹部１２５ｂに侵入することにより、コード巻き取り部２６を前方に詰めて配置することができる。つまり、収容部品を前方に詰めて配置することができ、下ケース１２の前後方向の長さを抑制することができる。したがって、掃除機本体１０の後部の前後方向の寸法を小形化できる。
【００２６】
一方、仕切り壁１２５、仕切り壁１２５の連通部１２５ａ、その後面に形成される２重の環状リブ１２５ｃや凹部１２５ｂを金型で形成する場合、後方に引き抜くスライドコマを使用すると、スライドコマを引き抜くストロークは、凹部１２５ｂの前端から環状リブ１２５ｃの後端までの距離が最低限必要となる。さらに、スライドコマは、環状リブ１２５ｃの後端を形成する部分から後方に所定寸法の肉厚が必要となる。一方、下ケース１２の後端に形成された後壁１２３が存在するため、スライドコマを引き抜く際にスライドコマの後端と後壁１２３とが干渉する虞があり、スライドコマを引き抜くストロークを十分に確保することができない。
【００２７】
そこで、凹部１２５ｂの下方を含む下ケース１２に下ケース穴部１９（図１９参照）を形成する。凹部１２５ｂを形成するために、ベース金型を下ケース１２の下方から下ケース穴部１９に挿通する。そして、凹部１２５ｂを形成した後は、ベース金型を下方に引き抜く。つまり、凹部１２５ｂはベース金型で、連通部１２５ａや環状リブ１２５ｃはスライドコマで形成する。このようにすることにより、スライドコマを後方に引き抜くストロークが小さくなり、スライドコマを引き抜く際にスライドコマの後端と後壁１２３とが干渉することがなくなる。したがって、凹部１２５ｂと連通部１２５ａや環状リブ１２５ｃの形成が容易になる。
【００２８】
また、下ケース１２を軽量化するために、不要な空間に下ケース１２を構成する樹脂で埋められた部分を取り除く肉盗みが行われる。下ケース１２に下ケース穴部１９を形成することにより、スライドコマを後方に引き抜くことでは肉盗みできない部分をベース金型で形成でき、肉盗みが容易になり、下ケース１２を軽量化することができる。
【００２９】
さらに、凹部１２５ｂを塞ぐ底カバー２０を設けたので、掃除機本体１０の下面の意匠性を損なうことを防止できる。
【００３０】
（底カバー）
図１９に示すように、下ケース穴部１９は、下ケース１２の底部１２２とこの底部１２２に連なる側面である側壁１２４に亘り形成される。この下ケース穴部１９を塞ぐ底カバー２０は、図２０、図２１に示すように、底部２０ａと両側部２０ｂとを有する。底カバー２０の左右方向の断面は略カップ形状をなす。
【００３１】
両側部２０ｂの外側の前辺２０ｂ１が下ケース１２の外側の側面と、両側部２０ｂの外側の下面が下ケース１２の外側の下面と、両側部の外側の後辺２０ｂ２と後車輪１８ａの外側面１８ａ１とがそれぞれ滑らかに連なるように、下ケース１２に固定される。
【００３２】
このように固定されることにより、底カバー２０の外側の面が下ケース１２の外側の面に対し段差なく接続されるので、意匠性を損なうことがない。さらに、電気掃除機１の使用時、家具に接触しながら掃除機本体１を引き回す際の家具と後車輪１８ａの衝突の衝撃を緩和するとともに、容易にすり抜けることができ、使い勝手がよい。
【００３３】
また、図２０、図２１に示すように、底カバー２０の両側部２０ｂの上部には、前後方向に扁平で上方に突出するリブである第１の底カバー係止部２０ｂ３が形成される。第１の底カバー係止部２０ｂ３の下部は、底カバー２０の両側部２０ｂの上下方向の略中央付近まで伸び、両側部２０ｂから底カバー２０の内側に立設するように形成される。このように形成することにより、第１の底カバー係止部２０ｂ３に加わる荷重を両側部２０ｂに分散することができる。一方、下ケース１２の両側面には、第１の底カバー係止部２０ｂ３が挿通されて係止されるスリット状の穴である第１の下ケース側面被係止部１２４ａが設けられる。このように、下ケース１２の両側面に第１の底カバー係止部２０ｂ３を係止する第１の下ケース側面被係止部１２４ａを設けけたので、底カバー２０の左右方向の開きを抑制することができる。したがって、左右方向の開きを抑制するために底カバー２０の剛性を高めるように肉厚を厚くする必要がなく、底カバー２０を軽量化できる。
【００３４】
また、底カバー２０の両側部２０ｂの後部の上端には、下ケース１２の後車輪１８ａの裏面と対向する位置に形成される第２の下ケース側面被係止部１２４ｂ（図１８、図１９参照）と上方から係止する第２の底カバー係止部２０ｂ４が設けられる。底カバー２０の第２の底カバー係止部２０ｂ４が第２の下ケース側面被係止部１２４ｂと係止することにより、後述する、底カバー２０を下ケース１２にネジ止め固定する際の下方向への外れを防止した状態で仮止め固定でき、組立の作業性が向上する。また、後車輪１８ａの裏面と対向する位置で第２の底カバー係止部２０ｂ４が係止するので、後車輪１８ａが装着された状態では、第２の底カバー係止部２０ｂ４は後車輪１８ａに隠される。したがって、電気掃除機１の使用者が容易に分解することができず、安全である。
【００３５】
なお、底カバー２０の固定方法として、下ケース１２のスリット状の穴である第１の下ケース側面被係止部１２４ａに第１の底カバー係止部２０ｂ３を差込み、後車輪１８ａの裏側に係止をすることで、左右の開き、及び下の外れを固定するとしたが、差込部を係り止めとすることで、上下方向の固定をリブで行うことも可能である。
【００３６】
底カバー２０の底部２０ａには、後述するネジ２８が挿通されるネジ穴２０ａ１が形成される。また、下ケース１２の底部１２２には、ネジ２８が挿通されるネジ穴１２２ａが形成される。また、電動送風機ケース２５の前端の下端にはネジボス２５ａが形成され、内側にネジ２８と螺合されるネジ穴が形成される。そして、底カバー２０と下ケース１２の底部１２２と電動送風機ケース２５の一端とを、底カバー２０の下面からネジ２８により共締めして、着脱自在に固定される。このように、３個の部材を１個のネジで固定でき、部品点数を削減でき、軽量化と低コスト化が図れる。また、底カバー２０を最後にネジ２８で取付ける構造としたので、底カバー２０をはずすことで掃除機本体１０内部の修理が容易に行える。さらに、電気掃除機１の使用時、掃除機本体１０が引き回され、底カバー２０が家具等と衝突して破損した場合でも、底カバー２０の交換が容易であり、メンテナンス性が向上する。
【００３７】
なお、電動送風機ケース２５の固定として、底カバー２０と下ケース１２の底部１２２と電動送風機ケース２５の一端とを、底カバー２０の下面からネジ２８により共締めとしたが、スライドコマのスライド稼動範囲外であれば、下ケース１２と電動送風機ケース２５にネジ穴およびネジボスを設け、ネジ固定してもよく、固定箇所の選択の自由度が大きくなる。
【００３８】
また、底カバー２０の底部２０ａの上面の前辺と後辺に、それぞれ上方に立設する第１の底カバーリブ２０ａ２及び第２の底カバーリブ２０ａ３が設けられる。そして、下ケース１２の下面には、底カバー２０の前後方向のズレを規制するように、第１の底カバーリブ２０ａ２及び第２の底カバーリブ２０ａ３の側面とそれぞれ当接して係止する第１の下ケース底面被係止部１２２ｂ及び第２の下ケース底面被係止部１２２ｃが設けられる（図２２参照）。第１の底カバーリブ２０ａ２の前面と、これに対向する第１の下ケース底面被係止部１２２ｂをなす下ケース１２の段部の後面とが当接し、底カバー２０が前方にずれるのを抑制する。また、第２の底カバーリブ２０ａ３の後面と、これに対向する第２の下ケース底面被係止部１２２ｃをなす下ケース１２の段部の前面とが当接し、底カバー２０が後方にずれるのを抑制する。このように構成することで、ネジ２８により、底カバー２０と下ケース１２と電動送風機ケース２５とを共締めで固定する際、底カバー２０を下ケース１２に仮固定した状態で作業でき、組立の作業性が向上する。
【００３９】
（電動送風機ケース）
図２２に示すように、電動送風機ケース２５は、下ケース１２の底部の上面に、前後方向に延びるように立設される第１の下ケース底部リブ１２２ｄ上に載置される。電動送風機ケース２５の前端の下端にはネジボス２５ａが形成され、内側にネジ２８と螺合されるネジ穴が形成される。第１の下ケース底部リブ１２２ｄの後方には、上方に向かって延設する段差部１２２ｅとこの段差部１２２ｅの上端に連なって上方後方に傾斜する傾斜部１２２ｆが形成される。
【００４０】
電動送風機ケース２５は、その前側がネジボス２５ａにより下ケース１２に固定される。電動送風機ケース２５は、その後側の下端の底辺と後辺がそれぞれ段差部１２２ｅの端面と当接して固定される。電動送風機ケース２５は、その上面に形成された嵌合ボス２５ｂ（図９、図２２参照）が上ケース１１の下面に形成された上ケース嵌合ボス１１ａと嵌合し、固定される。電動送風機ケース２５を下ケース１２に固定する際、電動送風機ケース２５の後側の下端が傾斜部１２２ｆを滑って段差部１２２ｅにガイドされるので、組立性が向上する。
【００４１】
（コード巻き取り部）
コード巻き取り部２６は電動送風機ケース２５の左側に配置される。図９、図１１に示すように、コード巻き取り部２６は、両側に電源コード２２の巻き取りをガイドする側円板２６ｂ、２６ｃが設けられる。また、図２３に示すように、下ケース１２の底部１２２の上面で側円板２６ｂ、２６ｃの近傍に、少なくとも側円板２６ｂ、２６ｃの一方に沿って近接した第２の下ケース底部リブ１２２ｇが形成されると共に、底カバー２０の底部２０ａの上面に、第２の下ケース底部リブ１２２ｇと連なるように側円板２６ｂ、２６ｃに沿って近接した第３の底カバーリブ２０ａ４を設けている。このように構成することにより、電源コード２２が緩んでしまった場合でも、コード巻き取り部２６から電源コード２２が飛び出して外れることがなく、電源コード２２の巻き取りを確実にガイドできる。
【００４２】
また、コード巻き取り部２６を収容するケース（図示せず）の外周部に突出するリブであるコード巻き取り部係止部（図示せず）を設け、仕切り壁１２５側にコード巻き取り部係止部と係止して電源コード２２の引き出し操作に伴うコード巻き取り部２６のケースの回転を規制するコード巻き取り部被係止部１２５ｅを設けた（図１６参照）。
【００４３】
コード巻き取り部２６の電源コード２２を収容するコード巻き付け部２６ｄ（図２６参照）は、電源コード２２がコード巻き取り部２６に巻き取られる方向に回転するように、バネ（図示せず）の弾性力により付勢される。掃除を開始する際、プラグ２２ａをコンセントに差し込むとき、電源コード２２はバネの弾性力に抗して接続コード巻き取り部２６から引き出される。このとき、バネの弾性力の反作用により、コード巻き取り部２６を収容するケースには、電源コード２２の引き出される方向に回転するトルクが作用する。仕切り壁１２５側にコード巻き取り部係止部と係止して電源コード２２の引き出し操作に伴うコード巻き取り部２６のケースの回転を規制するコード巻き取り部被係止部１２５ｅを設けたので、コード巻き取り部２６のケースの回転を規制することができ、使い勝手のよい電気掃除機が得られる。
【００４４】
以上のように、実施の形態１に記載の電気掃除機によれば、掃除機本体の外郭を形成する下ケース及び上ケースと、吸引風を発生する電動送風機と、電動送風機を制御する制御基板と電動送風機及び制御基板が収容されるとともに電動送風機の吸込口と連通する開口部を有する電動送風機ケースと、電動送風機により発生する吸引風とともに吸い込んだ塵埃を捕集する集塵部と、電動送風機に電源を供給する電源コードを巻き取るコード巻き取り部と、下ケースの後方の両側部に取り付けられる一対の後車輪と、を備え、下ケースは、両側に底部から上方に延設され上ケースの下端と接続される側壁、前後方向の略中央部に、集塵部が配置される下ケース前部と電動送風機ケース及びコード巻き取り部が配置される下ケース後部とを仕切る仕切り壁、後端に下ケースの底部から上方に延設される後壁が形成され、下ケース後部に、左右方向の一方に電動送風機ケースが配置され、左右方向の他方に回転軸が水平となるようにコード巻き取り部が配置され、仕切り壁は、集塵部の排気口と該排気口と対向して配置される電動送風機ケースの開口部とを連通する連通部が形成され、コード巻き取り部の前端と対向する部分が集塵部の方向に窪む凹部が形成され、凹部の下方を含む下ケースに下ケース穴部が形成され、下ケース穴部を塞ぐ底カバーを設けたので、意匠性を損なうことなく下ケースを小型化、軽量化できる。
【００４５】
また、下ケース穴部は下ケースの底部とこの底部に連なる側面に亘り形成され、底カバーは、底部と両側部とを有し、左右方向の断面が略カップ形状で、両側部の外側の前辺が下ケースの外側の側面と、外側の下面が下ケースの外側の下面と、両側部の外側の後辺と後車輪の外側面とがそれぞれ滑らかに連なるように、下ケースに固定されるので、意匠性を損なうことがない。さらに、電気掃除機の使用時、家具に接触しながら掃除機本体を引き回す際の家具と後車輪の衝突の衝撃を緩和するとともに、容易にすり抜けることができ、使い勝手がよい。
【００４６】
また、底カバーの両側部の上部に下ケースの両側面に形成された第１の下ケース側面被係止部と係止して底カバーの左右方向の開きを抑制する第１の底カバー係止部を設けたので、底カバーの左右方向の開きを抑制することができる。したがって、左右方向の開きを抑制するために底カバーの剛性を高めるように肉厚を厚くする必要がなく、底カバーを軽量化できる。
【００４７】
また、底カバーと下ケースの底部と電動送風機ケースとを底カバーの下面から底カバー固定ネジで共締めして固定するので、部品点数を削減でき、軽量化と低コスト化が図れる。また、底カバーをはずすことで掃除機本体内部の修理が容易に行える。さらに、電気掃除機の使用時、掃除機本体が引き回され、底カバーが家具等と衝突して破損した場合でも、底カバーの交換が容易であり、メンテナンス性が向上する。
【００４８】
また、底カバーの両側部の後部に下ケースと上方から係止する第２の底カバー係止部を設け、第２の底カバー係止部と係止される第２の下ケース被係止部を下ケースの後車輪の裏面と対向する位置に設けたので、組立の作業性が向上する。また、後車輪が装着された状態では、第２の底カバー係止部は後車輪に隠されるので、電気掃除機の使用者が容易に分解することができず、安全である。
【００４９】
底カバーの底部の上面に上方に立設する第１の底カバーリブ及び第２の底カバーリブを設け、下ケースの下面に、底カバーの前後方向のズレを規制するように、第１の底カバーリブ及び第２の底カバーリブの側面とそれぞれ当接する第１の下ケース底面被係止部及び第２の下ケース底面被係止部を設けたので、ネジにより、底カバーと下ケースと電動送風機ケースとを共締めで固定する際、底カバーを下ケースに仮固定した状態で作業でき、組立の作業性が向上する。
【００５０】
また、下ケースの底部の上面に、前後方向に延びるように立設されて電動送風機ケースを載置する第１の下ケース底部リブを設け、第４の下ケースリブの後方に上方に向かって延設する段差部とこの段差部の上端に連なって上方後方に傾斜する傾斜部を形成し、電動送風機ケースの後端の下部の角部が前記段差部と当接するようにしたので、電動送風機ケースを下ケースに固定する際、電動送風機ケースの後側の下端が傾斜部を滑って段差部にガイドされるので、組立性が向上する。
【００５１】
また、コード巻き取り部は、両側に電源コードの巻き取りをガイドする側円板が設けられ、下ケースの底部の上面で側円板の近傍に、少なくとも一方の側円板に沿って近接した第２の下ケース底部リブが形成されると共に、底カバーの底部の上面に、第２の下ケースリブと連なるように側円板に沿って近接した第３の底カバーリブを設けたので、電源コードが緩んでしまった場合でも、コード巻き取り部から電源コードが飛び出して外れることがなく、電源コードの巻き取りを確実にガイドできる。
【００５２】
また、コード巻き取り部の外周部にコード巻き取り部係止部を設け、仕切り壁側にコード巻き取り部係止部と係止して電源コードの引き出し操作に伴うコード巻き取り部の回転を規制するコード巻き取り部被係止部を設けたので、コード巻き取り部の回転を規制することができ、使い勝手のよい電気掃除機が得られる。
【符号の説明】
【００５３】
１  電気掃除機、
２  吸込具、
３  延長パイプ、
４  手元ホース、４ａ  操作スイッチ、
５  ホース、
１０  掃除機本体、
１１  上ケース、１１ａ  上ケース嵌合ボス、
１２  下ケース、１２１  前壁、１２２  底部、１２２ａ  ネジ穴、
１２２ｂ  第１の下ケース底面被係止部、１２２ｃ  第２の下ケース底面被係止部、
１２２ｄ  第１の下ケース底部リブ、１２２ｅ  段差部、１２２ｆ  傾斜部、
１２２ｇ  第２の下ケース底部リブ、
１２３  後壁、
１２４  側壁、１２４ａ  第１の下ケース側面被係止部、
１２４ｂ  第２の下ケース側面被係止部、
１２５  仕切り壁、１２５ａ  連通部、１２５ｂ  凹部、１２５ｃ  環状リブ、
１２５ｄ  シール部材、１２５ｅ  コード巻き取り部被係止部、
１３  集塵部、
１４  集塵部蓋、
１５  本体ハンドル、
１６  本体吸込口、１６ａ  後端開口部、
１７  本体排気口、
１８ａ  後車輪、１８ａ１  外側面、１８ｂ  前車輪、
１９  下ケース穴部、
２０  底カバー、２０ａ  底部、２０ａ１  ネジ穴、２０ａ２  第１の底カバーリブ、
２０ａ３  第２の底カバーリブ、２０ａ４  第３の底カバーリブ、
２０ｂ  両側部、２０ｂ１  前辺、２０ｂ２  後辺、
２０ｂ３  第１の底カバー係止部、２０ｂ４  第２の底カバー係止部、
２１  電動送風機、
２２  電源コード、２２ａ  プラグ、
２３  コード引き出し口、
２４  電源コード巻き取りボタン、
２５  電動送風機ケース、２５ａ  ネジボス、２５ｂ  嵌合ボス、
２６  コード巻き取り部、２６ａ  巻き取り回転軸、２６ｂ、２６ｃ  側円板、
２６ｄ  コード巻き付け部、
２７  制御基板、
２８  ネジ。
【図１】
2014188007.tif 000003
【図２】
2014188007.tif 000004
【図３】
2014188007.tif 000005
【図４】
2014188007.tif 000006
【図５】
2014188007.tif 000007
【図６】
2014188007.tif 000008
【図７】
2014188007.tif 000009
【図８】
2014188007.tif 000010
【図９】
2014188007.tif 000011
【図１０】
2014188007.tif 000012
【図１１】
2014188007.tif 000013
【図１２】
2014188007.tif 000014
【図１３】
2014188007.tif 000015
【図１４】
2014188007.tif 000016
【図１５】
2014188007.tif 000017
【図１６】
2014188007.tif 000018
【図１７】
2014188007.tif 000019
【図１８】
2014188007.tif 000020
【図１９】
2014188007.tif 000021
【図２０】
2014188007.tif 000022
【図２１】
2014188007.tif 000023
【図２２】
2014188007.tif 000024
【図２３】
2014188007.tif 000025
【図２４】
2014188007.tif 000026
【図２５】
2014188007.tif 000027